(57)【要約】【課題】本発明は、このような従来技術の課題を解決し、建物の外壁面を少ない労力で効果的に洗浄することができる外壁洗浄装置を提供することを目的とするものである。【解決方法】本発明の外壁洗浄装置Ａは、長尺の柄部Ａ１と、柄部Ａ１の上端に装着された電動回転式のブラシ１５を備えたヘッド部Ａ２とを有し、柄部Ａ１の上端付近が円弧状に湾曲していることを特徴としている。更に、ヘッド部Ａ２が、互いに反対方向に回転振動する２個のブラシ１５を並列状態で備えたことを特徴としている。【選択図】図３
2011140002.tif 000002
【特許請求の範囲】
【請求項１】
長尺の柄部と、該柄部の上端に装着された電動回転式のブラシを備えたヘッド部とを有し、該柄部の上端付近が円弧状に湾曲していることを特徴とする外壁洗浄装置。
【請求項２】
前期ヘッド部が、互いに反対方向に回転振動する２個のブラシを並列状態で備えたことを特徴とする請求項１に記載した外壁洗浄装置。
【発明の詳細な説明】
【技術分野】
【０００１】
本発明は建物の外壁面を洗浄する際に使用される外壁洗浄装置に関するものである。
【背景技術】
【０００２】
従来より、平坦な面を清掃あるいは洗浄する為に、柄の先端に回転式のブラシを備えた装置が開発、使用されてきたが、柄の部分は直線的な棒状のものが一般的であった。例えば、特許文献１には、床などの水平面を清掃するためのポリッシャーが開示されているが、この例においても、先端にブラシ５が装着された心棒１は文字通り一直線の棒状の部材である。このような構成の場合、心棒１の長さが比較的短く、心棒１とブラシ５の清掃の対象となる水平面とのなす角度が大きく、且つ重量が清掃の対象となる面方向に作用するので特に作業上の支障がない。
【先行技術文献】
【特許文献】
【０００３】
【特許文献１】特開平０８−０１０２０４号公報
【発明の概要】
【発明が解決しようとする課題】
【０００４】
しかし、建物の外壁面を洗浄する場合、特に、例えば地上面から離隔して上階の外壁面を洗浄するような場合、柄と壁面のなす角度が小さくなるので、モーターなどを有し重量の集中するヘッド部がより高い位置となって横方向に振れやすくなる。従って、作業者はブラシの位置を保つあるいは修正することに多くの労力を費やさなければならない。
【０００５】
また、汚れの度合いによっては外壁面に圧力をかけてブラシを当接させたい場合があるが、長い柄はたわみやすいので、柄を壁面方向に押さえつけてもその力は柄を撓ませるばかりでブラシにはあまり伝達されない。その為、洗浄が充分に行えない、あるいは洗浄作業に多くの労力や時間を必要とするという問題がある。
【０００６】
本発明は、このような従来技術の課題を解決し、建物の外壁面を少ない労力で効果的に洗浄することができる外壁洗浄装置を提供することを目的とするものである。
【課題を解決するための手段】
【０００７】
上記課題を解決する為に、本発明に係る外壁洗浄装置の第１の構成は、長尺の柄部と、柄部の上端に装着された電動回転式のブラシを備えたヘッド部とを有し、該柄部の上端付近が円弧状に湾曲していることを特徴としている。
【０００８】
また、本発明に係る外壁洗浄装置の第２の構成は、第１の構成に加え、前期ヘッド部が、互いに反対方向に回転振動する２個のブラシを並列状態で備えたことを特徴としている。
【発明の効果】
【０００９】
本発明に係る外壁洗浄装置の第１の構成によれば、柄部の上端付近が円弧状に湾曲しているので、柄部の中間部を押さえる力が確実にヘッド部（ブラシ）に伝達される。従って、柄部を押す力を増大させなくてもブラシと外壁面との摩擦力が増すので、横方向の振れが生じにくくすることができ、作業者がヘッド部（ブラシ）の位置を保つあるいは修正する作業の負荷を軽減させることができる。また、外壁面に大きな圧力作用するようにブラシを当接させたい場合も、力の伝達のロスが減り、効果的に外壁面を洗浄することができる。
【００１０】
また、本発明に係る外壁洗浄装置の第２の構成によれば、互いに反対方向に回転振動するブラシを並列させることで、ブラシの回転振動に伴うヘッド部のぶれを低減させることができ、また、ブラシが外壁面に当接する幅を大きくすることもでき、作業の際の安定度を向上させることができる。
【図面の簡単な説明】
【００１１】
【図１】外壁洗浄装置の主要部分の構成を示す図である。
【図２】ヘッド部の詳細を示す図である。
【図３】外壁洗浄装置を用いた作業状態を示す図である。
【発明を実施するための形態】
【００１２】
以下に図を参照して、本発明に係る外壁洗浄装置の一実施形態について説明する。本実施形態の外壁洗浄装置Ａは図１に示すように、柄部Ａ１、ヘッド部Ａ２、洗浄液ボトルＡ３、及びバッテリーＡ４で構成されている。
【００１３】
柄部Ａ１は、アルミニウム製のパイプからなる複数のパーツ（上端材１、中間材２、下端材３）の端部に形成された雄ねじ部と雌ねじ部を螺合することによって連結されて構成されている。上端材１は、円弧状に湾曲しており、その先端の円筒状の連結環１ａにヘッド部が連結されている。連結環１ａの胴部のタップ穴には蝶ネジ１ｂが螺入されている。
【００１４】
中間材２は直線状であり、中間材２の着脱、追加、あるいは長さの異なるものへの変更等によって、柄部Ａ１の全長を調整することが可能である。
【００１５】
下端材３は中間材２と同様直線状であり、その下端縁からおよそ１ｍ上方の位置に、作業者が作業中に一方の手で把持するためのループ状の取手３ａが取り付けられている。なお、下端材３の取手３ａより下の部分は作業者のもう一方の手で把持される部分であるので、すべり止めのブリップ等を備えていてもよい。
【００１６】
ヘッド部Ａ２は、基盤１１、連結軸１２、電動モーター１３、ブラシ装着盤１４、ブラシ１５、洗浄液噴出部１６、及びカバー１７からなる。
【００１７】
基盤１１はステンレス鋼板からなり、連結軸１２、電動モーター１３、洗浄液噴出部１６、及びカバー１７が取り付けられる。
【００１８】
連結軸１２は、パイプ状であり、ブラシを装着する側とは反対側の面に複数のＵボルト１２ａにて水平に、かつ柄部Ａ１の上端材１の連結環１ａを貫通する状態で取り付けており、ヘッド部Ａ２が回動自在に、即ち柄部Ａ１とブラシ１５の外壁当接面とのなす角度が調整自在に構成されている。また、ロックと、蝶ネジ１ｂを螺入してその先端で連結軸１２を圧迫するによって、ヘッド部Ａ２の回動を抑止し、柄部Ａ１とブラシ１５の外壁当接面とのなす角度を固定することが可能である。
【００１９】
電動モーター１３は、基盤１１に対し水平方向に並列状態で２個取り付けられており、２個の電動モーター１３が互いに反対方向に回転するように配線がなされている。電動モーター１３のスイッチ（不図示）は柄部Ａ１の取手３ａ近くに設置されている。
【００２０】
ブラシ装着盤１４は円盤状で、電動モーター１３の回転軸１３ａに取り付けられており、ブラシ１５を装着する面には、面ファスナーを構成する雄片雌片のうちの一方の片が固着されている。ブラシ装着盤１４の中心位置は、電動モーター１３の回転軸１３ａの中心と僅かにずらしてあり、回転軸１３ａを回転させた場合に、例えば、自転をしない惑星の公転のように、ブラシ装着盤１４（ブラシ１５）の方向を一定に保ったままその中心位置が小さな円を描く運動（円の半径が小さいので振動的な運動となり、この運動を回転振動と称している）を生じさせる機構を備えている。
【００２１】
ブラシ１５は、毛１５ａが植えられた台１５ｂの背面に面ファスナーの他方の片が固着されており、面ファスナーを介してブラシ装着盤１４に着脱自在に取り付けられている。
本実施例ではブラシ装着盤１４の形状に対応した円形（ドーナツ状）をなしているが、ブラシ１５の形状は特にブラシ装着盤１４の形状に対応したものでなくてもよく、例えば、長方形の小型のブラシを複数組み合わせて多角形状に装着してもよい。また、毛１５ａの材質、長さ、配列等も外壁や塗膜の材質、溝模様の形状、洗浄する部位等に応じて適宜好ましいもの選択すればよい。
【００２２】
２個の電動モーター１３が互いに反対方向に回転するのに伴い、２個のブラシ装着盤１４及び夫々に装着されたブラシ１５には、互いに反対方向の回転振動が生じる。
【００２３】
洗浄液噴出部１６は、洗浄作業中に外壁面に洗浄液を噴射させる為のものである。自動車のウィンドウォッシャーの機構等を転用して容易に構成することができ、洗浄液ボトルＡ３と可撓性のあるチューブ（不図示）で連結されている。
【００２４】
カバー１７は電動モーター１３の水濡れを防止するものである。
【００２５】
洗浄液ボトルＡ３は、洗浄液噴出部１６に供給される洗浄液を貯留しておくもので、洗浄液を圧送するためのポンプを備えており、作業者の腰にベルト等を用いて装着される。（図３参照）
【００２６】
バッテリーＡ４は、電動モーター１３及び洗浄液ボトル１４のポンプに供給される電気を蓄えておくもので、図示しないケーブルにて電動モーター及びポンプに通線されており、洗浄液ボトルＡ３とともに作業者の腰にベルト等を用いて装着される。（図３参照）
【００２７】
上記構成の外壁洗浄装置Ａを用いた建物Ｂの外壁面Ｂ１の洗浄作業手順の一例を、図３を参照しながら以下に示す。（１）洗浄する部位の凡その高さに合わせて柄部Ａ１の中間材２の長さや数を調整する。（２）ヘッド部Ａ２を上下方向に大きく移動させながら洗浄する場合には、蝶ネジ１ｂを緩めておき、ヘッド部Ａ２が自由に回動するようにしておく。また、ヘッド部Ａ２を水平方向に移動させながらあるいは僅かに上下方向に移動させながら洗浄する際には、蝶ネジ１ｂを締めて、柄部Ａ１とヘッド部Ａ２のなす角度を固定しておく。（３）外壁洗浄装置Ａを持ち上げブラシ１５が外壁面Ｂ１に当接するように立てかける。（４）一他方の手で取手３ａを把持し、他方の手で柄部Ａ１の下端部付近を把持して電動モーター１３のスイッチを入れる。（５）適宜洗浄液を噴射させながらブラシ１５を上下あるいは左右方向に移動させて洗浄する。（６）ホース等を用いて外壁面Ｂ１に水をかけ剥離された汚れや洗浄液を洗い落とす。
【００２８】
上記構成の外壁洗浄装置Ａによれば、柄部Ａ１の上端材１が円弧状に湾曲しているので、柄部Ａ１の中間部を押さえる力が確実にヘッド部Ａ２（ブラシ１５）に伝達される。従って、柄部Ａ１を押す力を増大させなくてもブラシ１５と外壁面Ｂ１との摩擦力が増すので、横方向の振れが生じにくくすることができ、作業者がヘッド部Ａ２（ブラシ１５）の位置を保つあるいは修正する作業の負荷を軽減させることができる。また、外壁面Ｂ１に大きな圧力作用するようにブラシ１５を当接させたい場合も、力の伝達のロスが減り、効果的に外壁面Ｂ１を洗浄することができる。
【００２９】
また、互いに反対方向に回転するブラシ１５を並列させることで、ブラシ１５の回転に伴うヘッド部Ａ２のぶれを低減させることができ、また、ブラシ１５が外壁面Ｂ１に当接する幅を大きくすることもでき、作業の際の安定度を向上させることができる。
【００３０】
以上、本発明に係る外壁洗浄ブラシの一実施形態について説明したが、本発明は上記形態に限定されるものではない。例えば、ブラシの数は３個以上であってもよく、柄部はロッド状に伸縮するものでもよい。また、電源は交流電源直結式でも構わない。
【符号の説明】
【００３１】
Ａ  外壁洗浄装置
Ａ１  柄部
Ａ２  ヘッド部
Ａ３  洗浄液タンク
Ａ４  バッテリー  
Ｂ  建物
Ｂ１  外壁面
１  上端材
１ａ  連結環
１ｂ  蝶ネジ
２  中間材
３  下端材
３ａ  取手
１１  基盤
１２  連結軸
１２ａ  Ｕボルト
１３  電動モーター
１３ａ  回転軸
１４  ブラシ装着盤
１５  ブラシ
１５ａ  毛
１５ｂ  台
１６  洗浄液噴出部
１７  カバー
【産業上の利用可能性】
【００３２】
本発明の洗浄装置は、高所にある機械装置などの洗浄にも適用ができる。
【図１】
2011140002.tif 000003
【図２】
2011140002.tif 000004
【図３】
2011140002.tif 000005